(57)【要約】【課題】簡単な作業で車両内部に収容した車椅子を所定の位置で強固に固定する。【解決手段】車椅子固定装置２は、収容部１ａのフロアＦ前方に配設された電動ウインチ３を有す。電動ウインチ３には、一端に係止部３１ａを有するベルト部材３１が出し入れ可能に設けられている。電動ウインチ３は、係止部３１ａを車椅子１０のフレーム１０ａに係止させた状態で、ベルト部材３１の引き入れ操作により、車椅子１０をスロープ１ｄを通って地面Ｇから収容部１ａに引き上げる。収容部１ａのフロアＦ後方には、掛止部材４が突設されている。車椅子１０下部のフレーム１０ｂには、架け渡し部材５が車幅方向に架け渡されている。架け渡し部材５は、電動ウインチ３の引き上げ動作により車椅子１０を収容部１ａに引き上げる過程で掛止部材４に車両後方から緊張状態で係止する。【選択図】図１
2012205746.tif 000002
【特許請求の範囲】
【請求項１】
車椅子を収容する収容部と、
該収容部の車両後端と地面との間に架け渡されたスロープを通って地面から上記収容部に収容した車椅子を動かないように固定する固定手段とを備えた車椅子収容車両であって、
上記固定手段は、上記収容部のフロア前方に配設され、一端に係止部を有する出し入れ可能な長尺牽引部材の上記係止部を上記車椅子前部のフレームに係止させた状態で、上記長尺牽引部材の引き入れ操作により、上記車椅子を上記スロープを通って地面から上記収容部に引き上げるウインチと、
上記収容部のフロア後方に突設された掛止部材と、
上記車椅子下部のフレームに車幅方向に架け渡される架け渡し部材とを備え、
上記架け渡し部材は、上記ウインチの引き上げ動作により上記車椅子を上記収容部に引き上げる過程で上記掛止部材に車両後方から緊張状態で掛止するようになっていることを特徴とする車椅子収容車両。
【請求項２】
請求項１に記載の車椅子収容車両であって、
上記ウインチは、車幅方向に間隔をあけて一対設けられていることを特徴とする車椅子収容車両。
【請求項３】
請求項１又は２に記載の車椅子収容車両であって、
上記掛止部材は、車両後方に向かって突出し、且つ、先端が上記収容部のフロアから上方に離間していることを特徴とする車椅子収容車両。
【請求項４】
請求項３に記載の車椅子収容車両であって、
上記掛止部材は、先端から基端側に行くに連れて次第に車幅方向に広がっていることを特徴とする車椅子収容車両。
【発明の詳細な説明】
【技術分野】
【０００１】
本発明は、車椅子を車両内部に収容可能な車椅子収容車両に関する。
【背景技術】
【０００２】
従来より、一般的な車椅子収容車両は、被介護者等が着座した車椅子を車両内部に収容できるようになっていて、上記車椅子は、被介護者等を安全に運搬できるように固定手段で車両内部に強固に固定されるようになっている。
【０００３】
このような車椅子収容車両の固定手段は、例えば、特許文献１に開示されているように、車両後方に引き出して先端を車椅子に係合させたベルトを車両前方に所定の力で巻取操作する巻取装置と、上記車椅子を車両後方に引張操作する引張装置とを備えていて、上記巻取装置は、巻き取られたベルトの車両後方への巻き戻しの禁止と解除とを切替可能に構成されている。そして、上記巻取装置のベルト先端を車椅子に係合させ、介護者等が車椅子を押して、上記ベルトを所定の力で上記巻取装置に巻き取らせながら上記車椅子を車両後端と地面との間に架け渡されたスロープを通って車両内部に収容し、車両内部に収容した状態で、上記車椅子を引張装置で車両後方に引っ張ることにより、上記ベルトの車両後方への巻き戻しが禁止状態となり、上記車椅子が車両内部に固定されるようになっている。
【先行技術文献】
【特許文献】
【０００４】
【特許文献１】特開平１１−１１３９６６号公報（段落０００７、図３）
【発明の概要】
【発明が解決しようとする課題】
【０００５】
しかし、特許文献１の巻取装置は、車椅子を車両内部に収容する際に、ベルトを緊張状態で巻き取るのではないので、巻き取った部分のベルトに多少の弛みが生じてしまう。したがって、ベルトに弛みが生じている状態で引張装置を作動させると、弛みの分だけベルトが車両後方に巻き戻されて、それに伴って車椅子が車両後方に移動してしまうので、バックドアを閉じる際に当該バックドアが車椅子に干渉してしまうこととなる。
【０００６】
これを回避するために、介護者等が車椅子を車両内部に収容した状態で車両前後に往復移動させることで上記ベルトの弛みを解消させるという作業を上記引張装置を作動させる前に必ず行うといったことも考えられるが、狭い空間での作業であり介護者等の負担が大きくなってしまうので好ましくない。
【０００７】
本発明は斯かる点に鑑みてなされたものであり、その目的とするところは、簡単な作業で車両内部に収容した車椅子を所定の位置で強固に固定できるようにすることにある。
【課題を解決するための手段】
【０００８】
上記の目的を達成するために、本発明は、車椅子を収容する収容部のフロア前方に車椅子を引き上げるウインチを配設し、且つ、フロア後方に掛止部材を突設し、車椅子下部フレームには架け渡し部材を架け渡すようにしたことを特徴とする。
【０００９】
具体的には、車椅子を収容する収容部と、該収容部の車両後端と地面との間に架け渡されたスロープを通って地面から上記収容部に収容した車椅子を動かないように固定する固定手段とを備えた車椅子収容車両において次のような解決手段を講じた。
【００１０】
すなわち、第１の発明では、上記固定手段は、上記収容部のフロア前方に配設され、一端に係止部を有する出し入れ可能な長尺牽引部材の上記係止部を上記車椅子前部のフレームに係止させた状態で、上記長尺牽引部材の引き入れ操作により、上記車椅子を上記スロープを通って地面から上記収容部に引き上げるウインチと、上記収容部のフロア後方に突設された掛止部材と、上記車椅子下部のフレームに車幅方向に架け渡される架け渡し部材とを備え、上記架け渡し部材は、上記ウインチの引き上げ動作により上記車椅子を上記収容部に引き上げる過程で上記掛止部材に車両後方から緊張状態で掛止するようになっていることを特徴とする。
【００１１】
第２の発明では、第１の発明において、上記ウインチは、車幅方向に間隔をあけて一対設けられていることを特徴とする。
【００１２】
第３の発明では、第１又は第２の発明において、上記掛止部材は、車両後方に向かって突出し、且つ、先端が上記収容部のフロアから上方に離間していることを特徴とする。
【００１３】
第４の発明では、第３の発明において、上記掛止部材は、先端から基端側に行くに連れて次第に車幅方向に広がっていることを特徴とする。
【発明の効果】
【００１４】
第１の発明では、ウインチで車椅子を収容部に引き上げるので、長尺牽引部材が常に緊張状態で巻き取られ、収容部に車椅子を収容したときに長尺牽引部材の巻き取った部分に弛みが発生しない。したがって、特許文献１のように、巻き取ったベルトに弛みが発生して収容部内で車椅子が車両後方に移動してしまうといったことを回避できる。また、ウインチで車椅子を収容部に引き上げるだけで、車椅子が収容部に固定されるようになるので、車両内部といった狭い空間で介護者等が煩雑な作業を行う必要がなく、簡単に車椅子を収容部に固定できる。さらには、車椅子を収容部に収容した状態で、当該車椅子に対してウインチによる車両前方への引張力と、架け渡し部材による車両後方への抵抗力とがかかるようになり、車椅子を収容部に強固に固定することができる。
【００１５】
第２の発明では、収容部に車椅子を固定する際に、車椅子前部に加わる車両前方への引張力が左右均等に分散するようになるので、車椅子をバランス良く固定することができる。
【００１６】
第３の発明では、ウインチによる車椅子の引き上げ動作に伴い、車椅子に架け渡された架け渡し部材が掛止部材下面を摺接しながら車両前方に移動することで上記架け渡し部材が徐々に緊張状態となり、車椅子にかかる車両後方への抵抗力が徐々に高まるようになる。したがって、車椅子に衝撃を加えることなくスムーズに車椅子を収容部に固定できるようになるので、車椅子に座る被介護者等を不快にさせない。
【００１７】
第４の発明では、収容部に車椅子を収容した状態で、車椅子後部に加わる車両後方への抵抗力が左右均等に分散するようになるので、車椅子をバランス良く固定することができる。
【図面の簡単な説明】
【００１８】
【図１】本発明の実施形態に係る車椅子収容車両に車椅子を収容した状態を示す車両後部の側面図である。
【図２】本発明の実施形態に係る車椅子収容車両に収容する車椅子の背面図である。
【図３】図１の矢視Ａ図である。
【図４】本発明の実施形態に係る車椅子固定装置の平面図である。
【図５】（ａ）は、車椅子を車両に収容している途中の状態を、（ｂ）は、車椅子を車両に収容した直後の状態をそれぞれ示す車両後部側面図である。
【発明を実施するための形態】
【００１９】
以下、本発明の実施形態を図面に基づいて詳細に説明する。尚、以下の好ましい実施形態の説明は、本質的に例示に過ぎない。
【００２０】
図１は、本発明の実施形態に係る車椅子収容車両１の後部側を示す。該車椅子収容車両１の後部側車室内には、被介護者Ｈ等が着座した車椅子１０を収容可能な収容部１ａが設けられている。
【００２１】
上記車椅子収容車両１のルーフＲ後端には、バックドア１ｂが上下に開閉可能に取り付けられていて、上記収容部１ａの床面をなすフロアＦ後端には、折り畳み式スロープ１ｄを備えたテールゲート１ｃが上下に回動可能に取り付けられている。そして、上記バックドア１ｂを上方に開けて、上記テールゲート１ｃを下方に回動させ、さらに、上記テールゲート１ｃからスロープ１ｄを展開して当該スロープ１ｄを収容部１ａの車両後端と地面Ｇとの間に架け渡すことにより、被介護者等を乗せた車椅子１０を地面Ｇからスロープ１ｄを通って収容部１ａまで移動させることができるようになっている。
【００２２】
上記収容部１ａに収容された車椅子１０は、上記収容部１ａ内で動かないように車椅子固定装置（固定手段）２により固定されるようになっている。
【００２３】
該車椅子固定装置２は、図４に示すように、一端にフック状の係止部３１ａを有するベルト部材（長尺牽引部材）３１が出し入れ可能に設けられた電動ウインチ３を備えていて、該電動ウインチ３は、上記収容部１ａのフロアＦ前方に車幅方向に間隔をあけて一対設けられ、上記各係止部３１ａを車椅子１０前部の左右一対のフレーム１０ａにそれぞれ係止させた状態で、図示しないリモコン等を操作することにより、上記ベルト部材３１を引き入れ操作して上記車椅子１０を上記スロープ１ｄを通って地面Ｇから収容部１ａまで引き上げるようになっている。
【００２４】
上記収容部１ａのフロアＦ後方には、図１及び図３に示すように、掛止部材４が車両後方に向かって突設されている。該掛止部材４は、金属製パイプ部材を突出先端から基端側に行くに連れて次第に車幅方向に広がる略三角形状となるように加工したものであり、上記掛止部材４の先端が上記フロアＦから上方に離間するように上記掛止部材４の基端側が上記フロアＦに溶接固定されている。
【００２５】
また、上記車椅子固定装置２は、両端にフック部５ａを有するベルト状の架け渡し部材５を備えていて、図２に示すように、上記車椅子１０下部後方の左右一対のフレーム１０ｂにそれぞれ上記フック部５ａを引っ掛けることにより、上記車椅子１０下部の車幅方向に架け渡されるようになっている。
【００２６】
そして、上記架け渡し部材５は、図３及び図４に示すように、上記電動ウインチ３の引き上げ動作により上記車椅子１０を上記収容部１ａに引き上げる過程で上記掛止部材４に車両後方から緊張状態で掛止するようになっている。
【００２７】
次に、車椅子収容車両１の収容部１ａに車椅子１０を収容固定する手順について説明する。
【００２８】
まず、介護者等は、上記車椅子収容車両１のバックドア１ｂを上方に開けて、上記テールゲート１ｃを下方に回動させ、車椅子１０の乗り入れ体勢を整える。
【００２９】
次いで、介護者等は、上記テールゲート１ｃに折り畳まれたスロープ１ｄを展開して、当該スロープ１ｄを収容部１ａの車両後端と地面Ｇとの間に架け渡す。
【００３０】
そして、介護者等は、図示しないリモコン等により電動ウインチ３を操作してベルト部材３１を引き出し操作し、上記係止部３１ａが地面Ｇまで届くようにベルト部材３１を車両後方側に引き出して上記係止部３１ａを車椅子１０の各フレーム１０ａにそれぞれ係止する。
【００３１】
また、介護者等は、上記車椅子１０下部後方の左右一対のフレーム１０ｂに架け渡し部材５を架け渡す。
【００３２】
しかる後、介護者等は、図５（ａ）に示すように、車椅子１０の後方から当該車椅子１０の動作を補助しつつ図示しないリモコン等で電動ウインチ３を操作してベルト部材３１を引き入れ操作し、上記車椅子１０を上記スロープ１ｄを通して地面Ｇから収容部１ａまで引き上げる。これにより、上記架け渡し部材５が上記掛止部材４に掛止する。
【００３３】
その後、上記収容部１ａまで引き上げた車椅子１０をさらに電動ウインチ３の操作で車両前方に移動させると、図５（ｂ）に示すように、上記架け渡し部材５が、上記掛止部材４下面に摺接しながら車両前方に移動して徐々に緊張状態となり、車椅子１０が収容部１ａに強固に固定される。このように、車椅子１０にかかる車両後方への抵抗力が徐々に高まるようになるので、車椅子１０に衝撃を加えることなくスムーズに車椅子１０を収容部１ａに固定でき、車椅子１０に座る被介護者等を不快にさせない。
【００３４】
そして、上記スロープ１ｄを折り畳むとともに上記テールゲート１ｃを上方に回動させた後、上記バックドア１ｂを閉じ、車椅子１０の収容部１ａへの収容が完了する。
【００３５】
一方、車椅子収容車両１から車椅子１０を降ろす場合、まず、介護者等は、上記車椅子収容車両１のバックドア１ｂを上方に開けて、上記テールゲート１ｃを下方に回動させ、車椅子１０を収容部１ｂから地面Ｇへ降ろす体勢を整える。
【００３６】
次いで、介護者等は、上記テールゲート１ｃに折り畳まれたスロープ１ｄを展開して、当該スロープ１ｄを収容部１ａの車両後端と地面Ｇとの間に架け渡す。
【００３７】
そして、介護者等は、図示しないリモコン等により電動ウインチ３を操作し、ベルト部材３１を車両後方側に引き出す。すると、上記架け渡し部材５の緊張状態が解けるので、介護者等が車椅子１０の後方から当該車椅子１０の後方移動の動作を補助しつつ、上記車椅子１０を上記スロープ１ｄを通して収容部１ａから地面Ｇまで降ろす。
【００３８】
その後、上記係止部３１ａを車椅子１０のフレーム１０ａから外して、図示しないリモコン等により電動ウインチ３を操作してベルト部材３１を引き入れ操作し、上記ベルト部材３１を車両前方に移動させ上記電動ウインチ３内に収容する。
【００３９】
そして、上記スロープ１ｄを折り畳むとともに上記テールゲート１ｃを上方に回動させた後、上記バックドア１ｂを閉じ、車椅子１０を収容部１ａから地面Ｇへ降ろす作業が終了する。
【００４０】
したがって、本発明の実施形態では、電動ウインチ３で車椅子１０を収容部１ａに引き上げるので、ベルト部材３１が常に緊張状態で巻き取られ、収容部１ａに車椅子１０を収容したときにベルト部材３１の巻き取った部分に弛みが発生しない。したがって、特許文献１のように、巻き取ったベルトに弛みが発生して収容部１ａで車椅子１０が車両後方に移動してしまうといったことを回避することができる。
【００４１】
また、電動ウインチ３で車椅子１０を収容部１ａに引き上げるだけで、車椅子１０が収容部１ａに固定されるようになるので、車両内部といった狭い空間で介護者等が煩雑な作業を行う必要がなく、簡単に車椅子１０を収容部１ａに固定できる。
【００４２】
さらには、車椅子１０を収容部１ａに収容した状態で、当該車椅子１０に対して電動ウインチ３による車両前方への引張力と、架け渡し部材５による車両後方への抵抗力とがかかるようになり、車椅子１０を収容部１ａに強固に固定することができる。
【００４３】
また、上記収容部１ａに車椅子１０を固定する際に、車椅子１０前部に加わる車両前方への引張力が左右均等に分散するようになるので、車椅子１０をバランス良く固定することができる。
【００４４】
また、掛止部材４が突出先端から基端側に行くに連れて次第に車幅方向に広がる略三角形状をなしているので、上記収容部１ａに車椅子１０を収容した状態で、車椅子１０後部に加わる車両後方への抵抗力が左右均等に分散するようになり、車椅子１０をバランス良く固定することができる。
【００４５】
また、収容部１ａに車椅子１０が固定された状態で架け渡し部材５の掛止部材４との掛止部分が上記収容部１ａのフロアＦと掛止部材４との間に位置するようになるので、不意に架け渡し部材５が掛止部材４から外れてしまうといったことを防止して、車椅子１０を収容部１ａに強固に固定することができる。
【００４６】
尚、本発明の実施形態では、電動ウインチ３の長尺牽引部材をベルト部材３１としたが、これに限らず、例えば、鎖状部材や紐状部材であってもよい。
【００４７】
また、上記架け渡し部材５は、車椅子１０を収容部１ａに収容する直前に当該車椅子１０に架け渡してもよいし、通常時から車椅子１０に架け渡したままの状態にしておいてもよい。
【００４８】
また、上記掛止部材４は、パイプ部材からなっているが、略三角形状をなす板状部材からなっていてもよい。
【００４９】
また、上記掛止部材４は、側面視で略Ｌ字状をなすような形状であってもよい。
【００５０】
また、介護者等の邪魔にならないように、上記掛止部材４をフロアＦ下部に収容可能な構造としてもよい。
【産業上の利用可能性】
【００５１】
本発明は、車椅子を車両内部に収容可能な車椅子収容車両に適している。
【符号の説明】
【００５２】
１        車椅子収容車両
１ａ        収容部
１ｄ        スロープ
２        車椅子固定装置（固定手段）
３        ウインチ
４        掛止部材
５        架け渡し部材
１０        車椅子
１０ａ、１０ｂ        フレーム
３１        ベルト部材（長尺牽引部材）
３１ａ        係止部
Ｆ        フロア
Ｇ        地面
【図１】
2012205746.tif 000003
【図２】
2012205746.tif 000004
【図３】
2012205746.tif 000005
【図４】
2012205746.tif 000006
【図５】
2012205746.tif 000007